(57)【要約】【課題】サーミスタの保護管からの放熱を抑制した尿温測定装置を提供することを目的とする。【解決手段】尿を採集する採尿容器の内部に設けられ、細筒状の保護管の先端に温度検出素子が内蔵され、前記採尿容器の貯尿部に貯留された尿の温度を前記温度検出素子により測定する温度検出部と、前記貯尿部の少なくとも一部を形成し、前記温度検出部を保持する貯尿壁と、を備え、前記保護管の基端部は、前記貯尿壁から突出せずに前記貯尿壁に固定されたことを特徴とする尿温測定装置が提供される。【選択図】図３
2010048705.tif 000002
【特許請求の範囲】
【請求項１】
尿を採集する採尿容器の内部に設けられ、細筒状の保護管の先端に温度検出素子が内蔵され、前記採尿容器の貯尿部に貯留された尿の温度を前記温度検出素子により測定する温度検出部と、
前記貯尿部の少なくとも一部を形成し、前記温度検出部を保持する貯尿壁と、
を備え、
前記保護管の基端部は、前記貯尿壁から突出せずに前記貯尿壁に固定されたことを特徴とする尿温測定装置。
【請求項２】
前記貯尿壁は、前記温度検出部を挿入し固定する挿入孔を有し、
前記温度検出部は、前記貯尿部とは反対側から前記貯尿部に向けて前記挿入孔に挿入され、
前記保護管の基端部は、前記貯尿壁の前記貯尿部とは反対側において封止されてなることを特徴とする請求項１記載の尿温測定装置。
【請求項３】
前記保護管の基端部は、前記貯尿壁の前記貯尿部とは反対側に流し込まれた樹脂により封止されたことを特徴とする請求項２記載の尿温測定装置。
【請求項４】
前記保護管の基端部は、径外方向に広がったフランジを有し、
前記採尿壁は、前記温度検出部が前記挿入孔に挿入された状態において、前記フランジを保持する突起部をさらに有することを特徴とする請求項２または３に記載の尿温測定装置。
【請求項５】
前記貯尿部に光を照射する発光部をさらに備えたことを特徴とする請求項１〜４のいずれか１つに記載の尿温測定装置。
【発明の詳細な説明】
【技術分野】
【０００１】
本発明の態様は、一般的に、尿温測定装置に関し、具体的には放尿された尿を受尿して尿温を測定することができる尿温測定装置に関する。
【背景技術】
【０００２】
短時間で体温を精度良く測定するために、体内から排泄された尿の温度を測定する装置が提案されている。例えば、便器の便鉢空間（ボウル内）において採尿器で尿を採集し、採尿器の内部に設けたサーミスタ等の感温素子で形成された感温部によって、その尿の温度を測定する装置がある（特許文献１）。特許文献１に記載された装置では、貫通孔が採尿器に設けられ、採集した尿の流路が採尿器に形成されたことにより、被験者の排泄する新鮮な尿が感温部の周囲に絶えず供給される。これによれば、被験者の排泄した尿が外気や受尿器に接触して放熱することによる感温部の検知温度への影響量を少なくできる。
【０００３】
サーミスタは、金属製保護管の内部の先端に温度検出素子を内蔵した構造を有する。そこでまず、受尿器内の尿の温度は保護管に伝達される。そして、サーミスタは、尿で温められた保護管の温度を温度検出素子が検出することで尿温を測定する。しかしながら、保護管は金属製であるため、熱を伝えやすいとともに、放熱しやすい特性を有する。放熱量が大きい場合には、尿で温められた保護管の温度が尿の温度に到達しないという問題がある。
【０００４】
また、尿貯留部で採尿した尿を尿貯留部に溜めながらも、古い尿を新しい尿に置換しつつ尿温を検出する装置がある（特許文献２）。しかしながら、特許文献２に記載された装置では、サーミスタの基端部が外部に露出しており、熱が外部に放熱しやすい構造を有している。そのため、尿で温められた保護管の温度が尿の温度に到達しないおそれがある。また、サーミスタの基端部が便器に埋設され、外部に露出していない構造を有するものもあるが、このような構造物を量産することは困難である。
【０００５】
また、尿体温計のセンサ部が便器に配備された装置がある（特許文献３）。しかしながら、特許文献３に記載された装置では、尿温の検出位置が便器に近接しているため、便器の表面温度の影響を受けやすく、測定誤差が大きくなるという問題がある。
【特許文献１】特開２００８−８９５２０号公報
【特許文献２】特開昭６３−１７１９３３号公報
【特許文献３】特開昭６３−１７６５３６号公報
【発明の開示】
【発明が解決しようとする課題】
【０００６】
本発明は、かかる課題の認識に基づいてなされたものであり、サーミスタの保護管からの放熱を抑制した尿温測定装置を提供することを目的とする。
【課題を解決するための手段】
【０００７】
第１の発明は、尿を採集する採尿容器の内部に設けられ、細筒状の保護管の先端に温度検出素子が内蔵され、前記採尿容器の貯尿部に貯留された尿の温度を前記温度検出素子により測定する温度検出部と、前記貯尿部の少なくとも一部を形成し、前記温度検出部を保持する貯尿壁と、を備え、前記保護管の基端部は、前記貯尿壁から突出せずに前記貯尿壁に固定されたことを特徴とする尿温測定装置である。  
この尿温測定装置によれば、尿から保護管に伝達された熱が外気などに接触して採尿容器の外部に放熱することを抑制できる。そのため、温度検出部の応答性が向上し、より短時間で精度良く尿温を測定することができる。
【０００８】
また、第２の発明は、第１の発明において、前記貯尿壁は、前記温度検出部を挿入し固定する挿入孔を有し、前記温度検出部は、前記貯尿部とは反対側から前記貯尿部に向けて前記挿入孔に挿入され、前記保護管の基端部は、前記貯尿壁の前記貯尿部とは反対側において封止されてなることを特徴とする尿温測定装置である。  
この尿温測定装置によれば、温度検出部を挿入孔に挿入した際に、保護管の基端部が封止されるため、温度検出部を容易に取り付けることができる。また、保護管の基端部が封止されるため、尿から保護管に伝達された熱が保護管の基端部から放熱することを抑制できる。
【０００９】
また、第３の発明は、第２の発明において、前記保護管の基端部は、前記貯尿壁の前記貯尿部とは反対側に流し込まれた樹脂により封止されたことを特徴とする尿温測定装置である。  
この尿温測定装置によれば、貯尿部とは反対側の前記採尿壁部が樹脂により封止されるため、温度検出部の取付部の防水性を確保することができる。さらに、リード線が内蔵された保護管内への尿の侵入を防止することができる。また、保護管の基端部が封止されるため、尿から保護管に伝達された熱が保護管の基端部から放熱することを抑制できる。
【００１０】
また、第４の発明は、第２または第３の発明において、前記保護管の基端部は、径外方向に広がったフランジを有し、前記採尿壁は、前記温度検出部が前記挿入孔に挿入された状態において、前記フランジを保持する突起部をさらに有することを特徴とする尿温測定装置である。  
この尿温測定装置によれば、温度検出部を挿入孔に挿入した際に、その温度検出部を仮固定することができるため、温度検出部の取り付け作業性をより向上化することができる。
【００１１】
また、第５の発明は、第１〜第４のいずれか１つの発明において、前記貯尿部に光を照射する発光部をさらに備えたことを特徴とする尿温測定装置である。  
この尿温測定装置によれば、採尿容器の内部が明るく照射されるため、暗い便器の内部（ボウル内）においても使用者は採尿容器に尿を当てやすい。そのため、使用者が排泄した尿は採尿容器に採尿されやすく、尿温測定の測定時間をより短縮することができる。
【発明の効果】
【００１２】
本発明の態様によれば、サーミスタの保護管からの放熱を抑制した尿温測定装置が提供される。
【発明を実施するための最良の形態】
【００１３】
以下、本発明の実施の形態について図面を参照しつつ説明する。なお、各図面中、同様の構成要素には同一の符号を付して詳細な説明は適宜省略する。  
図１は、本発明の第１の実施の形態にかかる尿温測定装置が設置されたトイレ室を例示する模式図である。  
また、図２は、本実施形態の採尿容器を斜め上方から眺めた斜視模式図である。
【００１４】
本実施形態にかかる尿温測定装置は、例えば側壁１０ａなどに隣接したライニング１２の内部に設けられた尿温測定部１００と、使用者が放尿した尿を受尿して採集する採尿容器１２０と、スイングアーム１３２を介して採尿容器１２０を回動させるスイングアーム駆動部１３０と、を備えている。尿温測定部１００は制御部１１０を有しており、その制御部１１０は温度検出部１２１で検知した尿の温度（尿温）などを受信し、例えば側壁１０ｂなどに設けられた表示部１６に信号を送信して尿温などを表示させることができる。
【００１５】
採尿容器１２０は、図２に表したように、受尿して採集した尿を一時的に貯留する採尿器１２４と、温度検出部１２１と発光部１２２とを保持する貯尿壁１２５と、スイングアーム１３２に接続される接続部１２６と、を有する。貯尿壁１２５は、温度検出部１２１などを保持するとともに、採尿器１２４と同様に、尿を一時的に貯留する貯尿部１２９の少なくとも一部を形成している。すなわち、使用者が排泄した尿は、採尿器１２４と貯尿壁１２５とで形成された空間（貯尿部１２９）に一時的に貯留される。
【００１６】
採尿器１２４と貯尿壁１２５と接続部１２６との上には、採尿器蓋１２７が設けられている。採尿器蓋１２７は、ヒンジ部１２７ａにおいて採尿器１２４に対して回動自在に軸支されており、図２に表したように閉止されることにより、採尿器１２４と貯尿壁１２５と接続部１２６とを相対的に固定することができる。
【００１７】
採尿器１２４と貯尿壁１２５と接続部１２６とは別体として設けられているため、それぞれを分解することができる。そのため、採尿容器１２０の内部に付着した尿石などを容易に除去することができる。但し、採尿器１２４と貯尿壁１２５と接続部１２６とは、一体として設けられていてもよい。この場合であっても、本発明の特徴を備えている限り、本発明の範囲に包含される。また、採尿器蓋１２７の開口部には、受尿した時の尿の泡立ちを防止するメッシュが設けられていてもよい。
【００１８】
採尿容器１２０の内部には、温度検出素子により尿の温度を測定する温度検出部１２１と、採尿器１２４の内部を照射する発光部１２２と、が設けられている。温度検出部１２１は、採尿器１２４と貯尿壁１２５とで形成された貯尿部１２９に溜まった尿の温度を測定し、リード線２３４を介して制御部１１０に測定結果を出力する。発光部１２２は、採尿器１２４の内部を明るく照射することで、採尿容器１２０を見やすくして尿を当てやすくすることができる。なお、図２に表したように、採尿器１２４に溜まった尿を吸引する吸尿部１２３を設け、図示しない搬送管を通して尿糖測定部に尿を搬送して、使用者が排泄した尿の尿糖を測定できるようにしてもよい。
【００１９】
制御部１１０は、スイングアーム駆動部１３０を駆動してスイングアーム１３２を回動させ、スイングアーム１３２の一端に設けられた採尿容器１２０を洋式腰掛便器１４（以下、単に「便器」という。）のボウル１４ａ内に移動させることができる。なお、図１に表した採尿容器１２０は、受尿位置にある状態を表している。一方、使用者が尿温測定装置を使用しない場合には、制御部１１０はスイングアーム駆動部１３０を駆動してスイングアーム１３２を回動させ、採尿容器１２０を図示しない収納部に収納できる。そのため、使用者が尿温測定装置を使用しない場合に、採尿容器１２０が用便の邪魔になることはない。
【００２０】
図３は、本実施形態の採尿容器の内部を側面から眺めた断面模式図である。  
また、図４は、本実施形態の貯尿壁を採尿壁面とは反対側の斜め上方から眺めた斜視模式図である。なお、図４は、説明の便宜上、発光部１２２を省略して表している。  
図３に表したように、貯尿壁１２５は、Ｏリング１４１により液密に接続部１２６に固定されている。また、接続部１２６は、Ｏリング１４３により液密にスイングアーム１３２に固定されている。
【００２１】
貯尿壁１２５には、温度検出部１２１を挿入し固定する挿入孔１２５ｃが設けられている。また、使用者の排泄した尿が一時的に貯留される側（採尿器１２４側）に面した採尿壁面１２５ｂとは反対側の貯尿壁１２５には、突起部１２５ａが設けられている。温度検出部１２１の基端部２２４は、図３および図４に表したように、径外方向に広がったフランジを有している。そして、温度検出部１２１は、突起部１２５ａ側から採尿壁面１２５ｂ側に向かって挿入孔１２５ｃに挿入され、その基端部２２４が貯尿壁１２５の突起部１２５ａに嵌合された状態で保持される。これによれば、温度検出部１２１を仮固定することができるため、その温度検出部１２１の取り付け作業性をより向上化することができる。
【００２２】
ここで、温度検出部１２１の構造の詳細について、図面を参照しつつ説明する。  
図５は、本実施形態の温度検出部の内部を側面から眺めた断面模式図である。  
本実施形態の温度検出部１２１は、例えばサーミスタである。サーミスタは、図５に表したように、金属製の保護管２２０の内部の先端に温度検出素子２３０を内蔵した構造を有する。保護管２２０は、径が小さい感温部２２１と、感温部２２１よりも径が大きい大径筒部２２３と、感温部２２１と大径筒部２２３とを接続するつなぎ部２２２と、を有しており、細筒状に形成されている。本実施形態の温度検出部１２１の基端部２２４は、図３および図４に関して前述したように、径外方向に広がったフランジを有している。
【００２３】
温度検出素子２３０はジュメット線２３２と接続されており、感温部２２１の内部に配置されている。ジュメット線２３２は、温度検出素子２３０とは反対側の一端において、リード線２３４と接続されている。そして、温度検出素子２３０とジュメット線２３２とリード線２３４とは、図５に表したように、温度検出素子２３０が保護管２２０の内部の先端に配置された状態で封止材２４０により封止されている。封止材２４０は、例えば樹脂などである。
【００２４】
温度検出部（サーミスタ）１２１では、まず、被温度測定物の温度が保護管２２０に伝達される。そして、感温部２２１に内蔵された温度検出素子２３０は、その伝達された温度を検出する。本実施形態では、使用者が排泄した尿の温度を測定するため、保護管２２０に伝達された尿の温度を、感温部２２１に内蔵された温度検出素子２３０が検出することになる。温度検出素子２３０が内蔵された感温部２２１は、金属製であり、径が小さいため、温度検出素子２３０への温度（熱）の伝達速度は速く、温度変化に対する応答速度も速い。
【００２５】
温度検出素子２３０で検出された検出信号は、ジュメット線２３２およびリード線２３４を介して、制御部１１０（図１参照）に出力される。そして、制御部１１０は温度検出素子２３０から出力された検出信号を演算処理して、表示部１６に信号を送信して尿温を表示させる。このようにして、使用者は自身の尿温（体温）を知ることができる。
【００２６】
しかしながら、保護管２２０は金属製であるため、温度検出素子２３０へ熱を伝えやすいとともに、外部へ放熱しやすい。この放熱量は、外部に露出した保護管２２０の面積が大きいほど大きくなる。放熱量が大きい場合には、尿で温められた保護管２２０の温度が尿の実温度に到達できず、尿温（体温）を精度良く測定できないという問題がある。
【００２７】
そこで、図３および図４に戻って説明を続けると、本実施形態にかかる尿温測定装置においては、温度検出部１２１（保護管２２０）の基端部２２４は、貯尿壁１２５から突出しないように固定されている。こうすることにより、保護管２２０の基端部２２４の側からの放熱を抑制できる。またさらに、基端部２２４は、樹脂などの封止材１５１により封止されている。すなわち、保護管２２０の基端部２２４は、貯尿壁１２５および封止材１５１からなる貯尿壁部に埋設され、外部に露出していない。そのため、尿から保護管２２０に伝達された熱が外気などに接触して採尿容器１２０の外部に放熱することをさらに抑制できる。その結果、温度検出部１２１の応答性が向上し、より短時間で精度良く尿温を測定することができる。
【００２８】
図３に表した採尿容器１２０では、貯尿壁１２５の突起部１２５ａ側、すなわち保護管２２０の基端部２２４側から樹脂などの封止材１５１を流し込んで、基端部２２４を封止しているが、これだけに限定されない。例えば、樹脂を流し込まずに、図示しない樹脂成形部材を基端部２２４側から貯尿壁１２５に取り付けて、保護管２２０の基端部２２４を封止してもよい。すなわち、この場合には、貯尿壁１２５と、これに取り付けられる樹脂成形部材と、により貯尿壁部が構成される。これによっても、保護管２２０の基端部２２４は、貯尿壁１２５および樹脂成型部材に埋設され、外部に露出しない。そのため、尿から保護管２２０に伝達された熱が外気などに接触して採尿容器１２０の外部に放熱することを抑制できる。
【００２９】
また、温度検出部１２１を挿入孔１２５ｃに挿入した際に、保護管２２０の基端部２２４が封止されるため、温度検出部１２１を貯尿壁１２５に容易に取り付けることができる。なお、保護管２２０の基端部２２４側から樹脂などの封止材１５１を流し込んで封止する場合には、温度検出部１２１の取付部の防水性を確保することができ、リード線２３４が内蔵された保護管２２０内への尿の侵入を防止することもできる。
【００３０】
感温部２２１は、径が小さく細筒状に形成されているため、図３に表したように、採尿器１２４から離間して配置されている。すなわち、温度検出素子２３０が内蔵された感温部２２１は、採尿器１２４に近接していない。そのため、温度検出素子２３０は、採尿器１２４の表面温度の影響を受けにくく、その影響による測定誤差を抑えることができる。
【００３１】
図６は、採尿壁面と基端部との距離を変化させた場合における温度検出部の検出温度（実測値）の一例を例示するグラフ図である。  
なお、図６（ａ）は、縦軸（温度（℃））の目盛りを０〜４０（℃）にして表したグラフ図であり、図６（ｂ）は、図６（ａ）に表したグラフ図の縦軸（温度（℃））の目盛りを３６．５０〜３７．１０（℃）に拡大して表したグラフ図である。
【００３２】
本発明者は、採尿壁面１２５ｂと基端部２２４との距離Ｄ１（図３参照）を５（ｍｍ）、１０（ｍｍ）、１５（ｍｍ）、または２０（ｍｍ）に変化させた場合において、温度検出部１２１の検出温度を測定した。このとき、採尿壁面１２５ｂと保護管２２０の先端との距離Ｄ２（図３参照）については、距離Ｄ１がいずれの場合であっても略一定に設定した。そして、距離Ｄ１がいずれの場合であっても、図３に表したように、保護管２２０の基端部２２４側から封止材１５１を流し込んで、基端部２２４を封止した。
【００３３】
本測定では、気温が５（℃）の環境下に採尿容器１２０を設置し、温度検出部１２１の検出温度が約５（℃）程度になった後に、約３７（℃）程度の湯を採尿器１２４に貯留させた。その結果、図６に表したように、距離Ｄ１を小さく設定するにつれて、温度検出部１２１の検出温度はより早く湯の温度に近づいた。すなわち、採尿壁面１２５ｂと基端部２２４との距離Ｄ１が小さい方が、温度検出部１２１の応答性が良く、より短時間で精度良く湯の温度を測定できた。
【００３４】
これは、貯尿壁１２５や封止材１５１との接触面積を小さくした方が、保護管２２０の基端部２２４あるいは大径筒部２２３からの放熱がより抑制されるためであると考えられる。なお、婦人体温計に要求される精度は、一般的に±０．０５（℃）であることを考慮すると、採尿壁面１２５ｂと基端部２２４との距離Ｄ１が５（ｍｍ）の場合には、測定時間が約６秒間程度で要求精度内の３６．９５（℃）に達したことが分かる。
【００３５】
図７は、採尿壁面と保護管の先端との距離を変化させた場合における温度検出部の検出温度（実測値）の一例を例示するグラフ図である。  
なお、図７（ａ）は、縦軸（温度（℃））の目盛りを２０．０〜３８．０（℃）にして表したグラフ図であり、図７（ｂ）は、図７（ａ）に表したグラフ図の縦軸（温度（℃））の目盛りを３６．５０〜３７．１０（℃）に拡大して表したグラフ図である。
【００３６】
本発明者は、採尿壁面１２５ｂと保護管２２０の先端との距離Ｄ２（図３参照）を１０（ｍｍ）、１５（ｍｍ）、または２０（ｍｍ）に変化させた場合において、温度検出部１２１の検出温度を測定した。このとき、採尿壁面１２５ｂと基端部２２４との距離Ｄ１については、距離Ｄ２がいずれの場合であっても略一定に設定した。また、本測定においても、図３に表したように、保護管２２０の基端部２２４側から封止材１５１を流し込んで、基端部２２４を封止した。
【００３７】
本測定では、気温が２０（℃）の環境下に採尿容器１２０を設置し、温度検出部１２１の検出温度が約２０（℃）程度になった後に、約３７（℃）程度の湯を採尿器１２４に貯留させた。その結果、図７に表したように、距離Ｄ２を小さく設定するにつれて、温度検出部１２１の検出温度はより早く湯の温度に近づいた。すなわち、採尿壁面１２５ｂと保護管２２０の先端との距離Ｄ２が小さい方が、温度検出部１２１の応答性が良く、より短時間で精度良く湯の温度を測定できた。
【００３８】
これは、距離Ｄ２を小さく設定すると、保護管２２０の接触面積が小さくなり、保護管２２０が早く暖まるためであると考えられる。なお、婦人体温計に要求される精度は、一般的に±０．０５（℃）であることを考慮すると、採尿壁面１２５ｂと保護管２２０の先端との距離Ｄ２が１０（ｍｍ）の場合には、測定時間が約４秒間程度で要求精度内の３６．９５（℃）に達したことが分かる。
【００３９】
以上説明したように、本実施形態によれば、保護管２２０の基端部２２４は、貯尿壁１２５および封止材１５１に埋設され、外部に露出していない。そのため、尿から保護管２２０に伝達された熱が外気などに接触して採尿容器１２０の外部に放熱することを抑制できる。その結果、温度検出部１２１の応答性が向上し、より短時間で精度良く尿温を測定することができる。  
また、採尿容器１２０の内部には発光部１２２が設けられ、採尿容器１２０の内部は明るく照射されるため、暗い便器１４の内部（ボウル１４ａ内）においても使用者は採尿容器１２０に尿を当てやすい。そのため、使用者が排泄した尿は採尿容器１２０に採尿されやすく、尿温測定の測定時間をより短縮することができる。
【００４０】
次に、本発明の第２実施の形態について説明する。  
図８は、本発明の第２の実施の形態にかかる尿温測定装置を例示する模式図である。  
また、図９は、本実施形態の変形例にかかる尿温測定装置を例示する模式図である。  
本実施形態にかかる尿温測定装置は、使用者が持ち運び可能な装置である。すなわち、携帯できる尿温測定装置である。これによれば、本実施形態にかかる尿温測定装置を携帯することで、外出先などでも使用者の尿温（体温）を測定することができる。
【００４１】
図８に表した尿温測定装置は、表示部３１６と、「入／切」スイッチ３１７と、「体温」スイッチ３１８と、スピーカ３１５と、を有する尿温測定部３００と、使用者が放尿した尿を受尿して採集する採尿容器３２０と、尿温測定部３００と採尿容器３２０とを連結し、使用者が把持可能な把持部３４０と、を備えている。尿温測定部３００は制御部３１０をさらに有しており、その制御部１１０は温度検出部３２１で検知した尿の温度（尿温）をリード線３３４を介して受信し、表示部３１６にその尿温を表示させることができる。
【００４２】
採尿容器３２０は、図８に表したように、受尿して採集した尿を一時的に貯留する採尿器３２４と、温度検出部３２１と発光部３２２とを保持する貯尿壁３２５と、把持部３４０に接続される接続部３２６と、を有する。但し、図２に関して前述したように、採尿器３２４と貯尿壁３２５と接続部３２６とは、一体として設けられていてもよい。そして、貯尿壁３２５は、温度検出部３２１などを保持するとともに、採尿器３２４と同様に、尿を一時的に貯留する貯尿部３２９の少なくとも一部を形成している。すなわち、使用者が排泄した尿は、採尿器３２４と貯尿壁３２５とで形成された空間（貯尿部３２９）に一時的に貯留される。
【００４３】
採尿容器３２０の内部には、温度検出素子により尿の温度を測定する温度検出部３２１と、採尿器３２４の内部を照射する発光部３２２と、が設けられている。温度検出部３２１は、採尿器３２４と貯尿壁３２５とで形成された貯尿部３２９に溜まった尿の温度を測定し、リード線３３４を介して制御部３１０に測定結果を出力する。発光部３２２は、採尿器１２４の内部を明るく照射することで、採尿容器３２０を見やすくして尿を当てやすくすることができる。
【００４４】
なお、図９に表したように、採尿器３２４に溜まった尿を吸引する吸尿部３２３をさらに設け、図示しない搬送管を通して尿糖測定部に尿を搬送して、使用者が排泄した尿の尿糖を測定できるようにしてもよい。この測定は、尿温測定部３００にさらに設けられた「尿糖」スイッチ３１９を使用者が押すことにより開始される。
【００４５】
図８および図９に表した尿温測定装置においては、図３に表した採尿容器と同様に、温度検出部３２１（保護管）の基端部は、例えば樹脂などの封止材により封止されている。すなわち、温度検出部３２１の保護管の基端部は、貯尿壁３２５および封止材に埋設され、外部に露出していない。そのため、尿から保護管に伝達された熱が外気などに接触して採尿容器３２０の外部に放熱することを抑制できる。その結果、温度検出部３２１の応答性が向上し、より短時間で精度良く尿温を測定することができる。
【００４６】
なお、封止材は、図３および図４に関して前述したように、保護管の基端部側から流し込まれた樹脂でなくともよく、基端部側から貯尿壁３２５に取り付けられた樹脂成形部材であってもよい。また、その他の構造については、第１の実施の形態にかかる尿温測定装置と同様の構造を有するため、第１の実施の形態にかかる尿温測定装置と同様の効果を得ることができる。
【００４７】
以上、本発明の実施の形態について説明した。しかし、本発明はこれらの記述に限定されるものではない。前述の実施の形態に関して、当業者が適宜設計変更を加えたものも、本発明の特徴を備えている限り、本発明の範囲に包含される。例えば、尿温測定装置などが備える各要素の形状、寸法、材質、配置などや尿温測定部の設置形態などは、例示したものに限定されるわけではなく適宜変更することができる。つまり、例えば、尿温測定部は、ライニング１２の内部に設けられていなくともよく、便座に座った使用者の「おしり」などに向けて水を噴射する図示しない衛生洗浄装置の内部に設けられてもよい。  
また、前述した各実施の形態が備える各要素は、技術的に可能な限りにおいて組み合わせることができ、これらを組み合わせたものも本発明の特徴を含む限り本発明の範囲に包含される。
【図面の簡単な説明】
【００４８】
【図１】本発明の第１の実施の形態にかかる尿温測定装置が設置されたトイレ室を例示する模式図である。
【図２】本実施形態の採尿容器を斜め上方から眺めた斜視模式図である。
【図３】本実施形態の採尿容器の内部を側面から眺めた断面模式図である。
【図４】本実施形態の貯尿壁を採尿壁面とは反対側の斜め上方から眺めた斜視模式図である。
【図５】本実施形態の温度検出部の内部を側面から眺めた断面模式図である。
【図６】採尿壁面と基端部との距離を変化させた場合における温度検出部の検出温度（実測値）の一例を例示するグラフ図である。
【図７】採尿壁面と保護管の先端との距離を変化させた場合における温度検出部の検出温度（実測値）の一例を例示するグラフ図である。
【図８】本発明の第２の実施の形態にかかる尿温測定装置を例示する模式図である。
【図９】本実施形態の変形例にかかる尿温測定装置を例示する模式図である。
【符号の説明】
【００４９】
１０ａ 側壁、  １０ｂ 側壁、  １２ ライニング、  １４ 洋式腰掛便器、  １４ａ ボウル、  １６ 表示部、  １００ 尿温測定部、  １１０ 制御部、  １２０ 採尿容器、  １２１ 温度検出部、  １２２ 発光部、  １２３ 吸尿部、  １２４ 採尿器、  １２５ 貯尿壁、  １２５ａ 突起部、  １２５ｂ 採尿壁面、  １２５ｃ 挿入孔、  １２６ 接続部、  １２７ 採尿器蓋、  １２７ａ ヒンジ部、  １２９ 貯尿部、  １３０ スイングアーム駆動部、  １３２ スイングアーム、  １４１、１４３ Ｏリング、  １５１ 封止材、  ２２０ 保護管、  ２２１ 感温部、  ２２２ つなぎ部、  ２２３ 大径筒部、  ２２４ 基端部、  ２３０ 温度検出素子、  ２３２ ジュメット線、  ２３４ リード線、  ２４０ 封止材、  ３００ 尿温測定部、  ３１０ 制御部、  ３１５ スピーカ、  ３１６ 表示部、  ３１７、３１８、３１９ スイッチ、  ３２０ 採尿容器、  ３２１ 温度検出部、  ３２２ 発光部、  ３２３ 吸尿部、  ３２４ 採尿器、  ３２５ 貯尿壁、  ３２６ 接続部、  ３２９ 貯尿部、  ３３４ リード線、  ３４０ 把持部
【図１】
2010048705.tif 000003
【図２】
2010048705.tif 000004
【図３】
2010048705.tif 000005
【図４】
2010048705.tif 000006
【図５】
2010048705.tif 000007
【図６】
2010048705.tif 000008
【図７】
2010048705.tif 000009
【図８】
2010048705.tif 000010
【図９】
2010048705.tif 000011